(57)【特許請求の範囲】
【請求項１】
一対の切断刃が互いに向い合いながら弾性復元力を有するように切曲された内部弾性板と、前記内部弾性板の外部面を包みながら弾性復元力を有するように切曲された外部弾性板と、前記内外部弾性板に各々貫通形成された内外部軸孔に配置される支持軸に一端が組み立てられて押圧作動時に前記内外部弾性板を弾性変形させる押圧板と、を備えて互いに向い合う切断刃による切断力を発生させる切断部；
前記切断部が挿入配置される内部空間を有する第１本体と、前記第１本体から外側に一定長さで延長される第２本体と、を備えて前記押圧板を押圧操作する使用者が把持するようになる取っ手部；及び
前記第１本体に形成された案内路に移動可能に組み立てられる案内突起を有する移動体を備えて前記切断刃により切断される切断物の飛散を防止する飛散防止部；を含むことと、
前記移動体は、前記内部弾性板と外部弾性板の間に介在され、前記案内路に配置される係止突起を含むこととを特徴とする爪切り。
【請求項２】
一対の切断刃が互いに向い合いながら弾性復元力を有するように切曲された内部弾性板と、前記内部弾性板の外部面を包みながら弾性復元力を有するように切曲された外部弾性板と、前記内外部弾性板に各々貫通形成された内外部軸孔に配置される支持軸に一端が組み立てられて押圧作動時に前記内外部弾性板を弾性変形させる押圧板と、を備えて互いに向い合う切断刃による切断力を発生させる切断部；
前記切断部が挿入配置される内部空間を有する第１本体と、前記第１本体から外側に一定長さで延長される第２本体と、を備えて前記押圧板を押圧操作する使用者が把持するようになる取っ手部；及び
前記第１本体に形成された案内路に移動可能に組み立てられる案内突起を有する移動体を備えて前記切断刃により切断される切断物の飛散を防止する飛散防止部；を含むことと、
前記移動体は、第２底板の左右両側から垂直に延長されて前記第１本体の案内路に案内移動可能に組み立てられる案内突起を備える一対の外部側壁を含むこととを特徴とする爪切り。
【請求項３】
前記内部弾性板は、一端に切断刃が具備され、内部軸孔が貫通形成された上下部板と、前記上下部板の他端の間を連結しながら弾性復元力を発生させるように切曲されたバンディング板と、を含み、
前記外部弾性板は、一端に外部軸孔が貫通形成された上下部板と、前記上下部板の他端の間を連結しながら弾性復元力を発生させるように切曲されたバンディング板と、を含むことを特徴とする請求項１又は２に記載の爪切り。
【請求項４】
前記支持軸は、前記内部弾性板の上下部板及び弾性板に沿って連続される長孔形態の内部軸孔に貫通配置され、前記外部弾性板の上下部板に各々貫通形成される円型孔の外部軸孔に貫通配置される支持軸の下端は、前記第１本体の底面に貫通形成された係止孔に係止配置されることを特徴とする請求項１又は２に記載の爪切り。
【請求項５】
前記第１本体は、前記支持軸の下端が係止配置される係止孔を貫通形成した第１底板と、前記第１底板の左右両側から垂直に延長されて前記移動体の案内突起が案内移動可能に組み立てられる案内路を備える一対の内部側壁と、を含むことを特徴とする請求項１又は２に記載の爪切り。
【請求項６】
前記第２底板は、前記第１本体との間に切断物が排出される通路を形成するように一定深さで陥没形成される排出凹溝を具備することを特徴とする請求項２に記載の爪切り。
【請求項７】
前記第２本体は、少なくとも一つの補助美容器具を臨時保管する内部空間を有する把持体を含むことを特徴とする請求項１〜請求項６のいずれか１項に記載の爪切り。
【請求項８】
前記第２本体は、前記把持体の開放された上部を覆って密閉するカバー部材を含むことを特徴とする請求項７に記載の爪切り。
【請求項９】
前記把持体は、前記補助美容器具が出入りされ、前記補助美容器具の一端と結合された結合体が挿入配置されるように開口形成された固定孔を含むことを特徴とする請求項７に記載の爪切り。
【請求項１０】
前記把持体は、内部空間に臨時保管される補助美容器具の外面と接して固定力を発生させる第１ストッパを含むことを特徴とする請求項７に記載の爪切り。
【請求項１１】
前記カバー部材は、前記把持体の内部空間に臨時保管される補助美容器具の外面と接して固定力を発生させる第２ストッパを含むことを特徴とする請求項８に記載の爪切り。
【請求項１２】
前記第１本体と第２本体との間に隔壁を具備することを特徴とする請求項１又は２に記載の爪切り。
【発明の詳細な説明】
【技術分野】
【０００１】
本発明は、爪切りに関し、より詳しくは、使用された刃体を簡便に入れ替えると同時に爪の手入れをするときに発生する切断物の飛散を防止することができる爪切りに関する。
【背景技術】
【０００２】
一般的に、爪切りは、人の手や足の指の爪を適当な長さで切る器具として、現代人の衛生道具の必需品中の一つである。
【０００３】
人は生きて行く間、手や足の指の爪が伸びるが、一定の長さ以上に伸びた手や足の指の爪は、日常生活において非常に不便さを提供するだけではなく美観上の側面でも非常に非衛生的な感じを与える。
【０００４】
これによって、手や足の指の爪の管理は周期的に行われる必要があり、このために必要なものが前述した爪切りである。
【０００５】
このような爪切りは、手や足の指の爪を掃除するための道具として管理が衛生的に行われる必要があるが、一つの爪切りを利用して多数の人が使用することには非衛生的な問題点があった。
【０００６】
また、美容室や風呂場などのような公共の場所や家庭で多くの人々により一つの爪切りが共同で利用される場合、爪切りの管理が正しく行われなくて非常に非衛生的である短所があり、これを解決するために爪切りを周期的に新しいものに入れ替えなければならないが、入れ替え費用が過多に必要となる問題点があった。
【０００７】
そして、使用者の年齢や用途によって形態が違う刃体の爪切りを使用することによって、異なる形態の刃体を有する多数の爪切りを購買して使用する必要がある。多数の爪切りを使用する場合、管理が大変であり、紛失される場合、爪切り全体を再び購買しなければならない問題点があった。
【０００８】
一方、爪切りを使用して爪の手入れをする場合には、いくら注意しても本体の切断刃の間で押されながら切断される手や足の指の爪（以下、切断物）が爪切りの後方に飛散して再び外に無方向に飛び出し、使用後に床に落ちた切断物を回収する必要が生じ手間が掛かった。
【０００９】
また、従来の爪切りは、互いに向い合う切断刃を有する上下部板体が２重になって使用者の手が把持する本体を備え、切断刃を形成するために上下部板体は金属素材からなっている。
【００１０】
この時、金属素材からなる上下部板体は、各々切断、プレッシング加工を経た後、弾性力を有しながら先端の切断刃が互いに向い合うようにスポット熔接工程により合体しなければならないため、製造工程が複雑であり、金属素材の使用量が多くなるため製造原価の節減に限界があった。
【先行技術文献】
【特許文献】
【００１１】
【特許文献１】ＫＲ２０−０３５８５１６  Ｙ１
【発明の概要】
【発明が解決しようとする課題】
【００１２】
したがって、本発明は上述のような問題点を解決するためのもので、その目的は、金属素材の使用量を減らしながら外部形態及び構造を単純化して製造原価を節減することができ、使用時に発生する切断物の外部飛散を防止しながら収去する一方、切断刃を有する刃体を簡便に入れ替えて使用することができる爪切りを提供することである。
【００１３】
本発明で達成しようとする技術的課題は、以上で言及した技術的課題に制限されず、言及しなかったまた他の技術的課題は、下の記載から本発明が属する技術分野において通常の知識を有する者であれば明確に理解できる。
【課題を解決するための手段】
【００１４】
上述の目的を達成するための具体的な手段として、本発明は、一対の切断刃が互いに向い合いながら弾性復元力を有するように切曲された内部弾性板と、前記内部弾性板の外部面を包みながら弾性復元力を有するように切曲された外部弾性板と、前記内外部弾性板に各々貫通形成された内外部軸孔に配置される支持軸に一端が組み立てられて押圧作動時に前記内外部弾性板を弾性変形させる押圧板と、を備えて、互いに向い合う切断刃による切断力を発生させる切断部；前記切断部が挿入配置される内部空間を有する第１本体と、前記第１本体から外側に一定長さで延長される第２本体と、を備えて、前記押圧板を押圧操作する使用者が把持するようになる取っ手部；及び前記第１本体に形成された案内路に移動可能に組み立てられる案内突起を有する移動体を備えて前記切断刃により切断される切断物の飛散を防止する飛散防止部；を含む爪切りを提供する。
【００１５】
好ましくは、前記内部弾性板は、一端に切断刃が具備され、内部軸孔が貫通形成された上下部板と、前記上下部板の他端の間を連結しながら弾性復元力を発生させるように切曲されたバンディング板と、を含み、前記外部弾性板は、一端に外部軸孔が貫通形成された上下部板と、前記上下部板の他端の間を連結しながら弾性復元力を発生させるように切曲されたバンディング板と、を含む。
【００１６】
より好ましくは、前記支持軸は、前記内部弾性板の上下部板及び弾性板に沿って連続される長孔形態の内部軸孔に貫通配置され、前記外部弾性板の上下部板に各々貫通形成される円型孔の外部軸孔に貫通配置される支持軸の下端は、前記第１本体の底面に貫通形成された係止孔に係止配置される。
【００１７】
より好ましくは、前記移動体は、前記内部弾性板と外部弾性板との間に介在され、前記案内路に配置される係止突起を含む。
【００１８】
好ましくは、前記第１本体は、前記支持軸の下端が係止配置される係止孔を貫通形成した第１底板と、前記第１底板の左右両側から垂直に延長されて前記移動体の案内突起が案内移動可能に組み立てられる案内路を備える一対の内部側壁と、を含む。
【００１９】
より好ましくは、前記第２本体は、少なくとも一つの補助美容器具を臨時保管する内部空間を有する把持体を含む。
【００２０】
より好ましくは、前記第２本体は、前記把持体の開放された上部を覆って密閉するカバー部材を含む。
【００２１】
より好ましくは、前記把持体は、前記補助美容器具が出入りされ、前記補助美容器具の一端と結合された結合体が挿入配置されるように開口形成された固定孔を含む。
【００２２】
より好ましくは、前記把持体は、内部空間に臨時保管される補助美容器具の外面と接して固定力を発生させる第１ストッパを含む。
【００２３】
より好ましくは、前記カバー部材は、前記把持体の内部空間に臨時保管される補助美容器具の外面と接して固定力を発生させる第２ストッパを含む。
【００２４】
好ましくは、前記第１本体と第２本体との間に隔壁を具備する。
【００２５】
好ましくは、前記移動体は、第２底板の左右両側から垂直に延長されて前記第１本体の案内路に案内移動可能に組み立てられる案内突起を備える一対の外部側壁を含む。
【００２６】
好ましくは、前記第２底板は、前記第１本体との間に切断物が排出される通路を形成するように一定深さで陥没形成される排出凹溝を具備する。
【発明の効果】
【００２７】
上述のような本発明によれば次のような効果がある。
【００２８】
（１）内外部弾性板及び押圧板からなる切断部が挿入配置される第１本体の外側に移動体を対応配置することで、内部弾性板の切断刃による手や足の指の爪の切断時に発生する切断物の飛散を防止し、簡便に収去できるため無方向に外部飛散される切断物に起因する周辺環境の汚染を予防し、切断物を収去する不便さを防止し得る。
【００２９】
（２）押圧板と組み立てられる上下の一対の金属板体を略Ｕ字状にバンディングされる内外部金属板体に取り替えることで、金属素材の使用量を減らしながら外部形態及び構造を単純化し、部品組み立て工程を減らすことができるため、製造原価を節減して価格競争力を高めることができる。
【００３０】
（３）手や足の指の爪の切断時に使用される切断刃を有する内部弾性板を外部弾性板に対して外側に前進移動させて分離することで、使用者の年齢や使用用途によって刃体を簡便に入れ替えることができるため、衛生管理が容易であり、部品の入れ替え作業によって爪切りの機能を多様化し、維持管理費用を節減することができる効果が得られる。
【図面の簡単な説明】
【００３１】
【図１】本発明の好ましい実施例による爪切りを示した全体斜視図である。
【図２】本発明の好ましい実施例による爪切りを示した分解斜視図である。
【図３】本発明の好ましい実施例による爪切りに採用される取っ手部を示した断面斜視図である。
【図４ａ】本発明の好ましい実施例による爪切りに採用される切断部を示した図であって、組み立て斜視図である。
【図４ｂ】本発明の好ましい実施例による爪切りに採用される切断部を示した図であって分解斜視図である。
【図５】本発明の好ましい実施例による爪切りに採用される飛散防止部の移動体を示した作動状態図である。
【図６ａ】本発明の好ましい実施例による爪切りに採用される移動体の断面斜視図である。
【図６ｂ】本発明の好ましい実施例による爪切りに採用されるカバー部材を示した斜視図である。
【図７ａ】本発明の好ましい実施例による爪切りの使用状態を示した図であって、切断物の飛散防止のための移動体の待機状態の断面斜視図である。
【図７ｂ】本発明の好ましい実施例による爪切りの使用状態を示した図であって、切断物の排出と内部弾性板の入れ替えのための移動体の移動状態の断面斜視図である。
【図８】本発明の好ましい実施例による爪切りから切断物が排出される状態を示した縦断面図である。
【発明を実施するための形態】
【００３２】
以下、添付図面を参照して本発明が属する技術分野において通常の知識を有する者が本発明を容易に実施することができる好ましい実施例を詳しく説明する。
【００３３】
本発明の好ましい実施例による爪切り１００は、図１〜図８に示したように、手や足の指の爪の切断時に発生する切断物の外部飛散を防止すると同時に切断刃を有する刃体構造物を簡便に新しいものに入れ替えられるように切断部１１０、取っ手部１２０、飛散防止部１３０を含む。
【００３４】
前記切断部１１０は、切断及び手入れ対象物である手や足の指の爪の一部を切断する切断刃１１４を互いに向い合うように具備する内部弾性板１１１と、その外側に配置される外部弾性板１１２と、を含む。
【００３５】
前記内部弾性板１１１は、一対の切断刃１１４が切断作業が可能なように互いに向い合いながら外力の解除時に元の状態に復元される弾性復元力を有するように切曲されたバンディング型弾性板体からなり得る。
【００３６】
前記外部弾性板１１２は、前記内部弾性板１１１の外部面を包みながら外力の解除時に元の状態に復元される弾性復元力を有するように切曲されたバンディング型弾性板体からなり得る。
【００３７】
ここで、前記内部弾性板１１１は、両端に切断刃１１４が各々形成された一定長さの金属板体を切断刃が互に向い合うように略Ｕ字状にバンディング加工した金属素材からなり、前記外部弾性板１１２は、両端に外部軸孔１１６が各々貫通形成された一定長さの金属板体を前記外部軸孔が互いに向い合うように略Ｕ字状にバンディング加工した金属素材からなることが好ましい。
【００３８】
前記内部弾性板１１１の金属板体は、前記外部弾性板１１２の金属板体の長さより相対的に長く具備されることが好ましい。
【００３９】
前記内部弾性板１１１は、一端に切断刃１１４と内部軸孔１１５が各々具備された上下部板１１１ａ、１１１ｂと、前記上下部板と他端の間を一体に連結しながら弾性復元力を発生させるように切曲されたバンディング板１１１ｃと、でなり得る。
【００４０】
また、前記外部弾性板１１２は、一端に外部軸孔１１６が各々貫通形成された上下部板１１２ａ、１１２ｂと、前記上下部板の他端の間を一体に連結しながら弾性復元力を発生させるように切曲されたバンディング板１１２ｃと、でなり得る。
【００４１】
ここで、前記内外部弾性板１１１、１１２に各々具備されるバンディング板１１１ｃ、１１２ｃは、前記上下部の他端から一体に延長されるものとして図示して説明したが、これに限定されるものではなく、前記上下部板の他端に脱着式に結合される別途のバンディング板からなり得る。
【００４２】
前記内部弾性板１１１は、互いに向い合う一対の内部軸孔１１５を貫通形成し、前記外部弾性板１１２は、前記内部軸孔と対応して同一な垂直軸上に位置されるように互いに向い合う一対の外部軸孔１１６を貫通形成する。
【００４３】
このような内外部軸孔１１５、１１６には、一定長さの支持軸１１７が挿入されて垂直に配置され、前記外部弾性板１１２の上側の外部軸孔１１６を通じて外部に露出される支持軸１１７の上端には、一定長さを有する押圧板１１３の一端である先端の一部が接して後端でテコの原理による押圧操作が可能なように組み立てられる。
【００４４】
前記外部弾性板１１２の下側の外部軸孔１１６を通じて外部に露出される支持軸１１７の下端には、前記第１本体部１２１の第１底板１２１ａに貫通形成された係止孔１２７から分離離脱されないように係止められる係止突起１１７ａを具備する。
【００４５】
これによって、前記内外部弾性板１１１、１１２は、前記支持軸の上端に一端が回動可能に組み立てられた押圧板１１３と、前記支持軸の下端に具備された係止突起１１７ａにより拘束され得る。
【００４６】
前記押圧板１１３の一端には、一定角度に切曲された連結片１１３ａを具備し、前記連結片１１３ａには、前記押圧板のテコの作動が可能なように前記支持軸の上端に陥没形成された係止溝に係止連結される連結孔１１３ｂを貫通形成するものとして図示して説明したが、これに限定されるものではなく、前記支持軸の上端にピン孔を貫通形成する場合、これに対応して組み立てられるピン部材を有する連結孔を貫通形成して具備し得る。
【００４７】
前記取っ手部１２０は、前記切断部１１０の押圧板１１３を押圧操作する使用者が簡便に把持できるように前記切断部１１０と結合される第１本体１２１と、それから外側に一定長さで延長される第２本体１２２と、を含む。
【００４８】
前記第１本体１２１は、前記切断部１１０の内外部弾性板１１１、１１２が挿入配置されるように入口と上面が開放された内部空間を具備する。このような第１本体１２１は、前記支持軸１１７の下端が係止配置される係止孔１２７が貫通形成された第１底板１２１ａと、前記第１底板１２１ａの左右両側から略垂直に延長され、前記飛散防止部１３０の移動体１３１に形成された案内突起１３１ｃが案内移動されるように案内路１２１ｃを具備する左右一対の内部側壁１２１ｂと、を含む。
【００４９】
ここで、前記案内突起１３１ｃが配置されて前記移動体の水平往復移動を案内する案内路１２１ｃは、一端が開放された長孔形態に具備されるものとして図示して説明したが、これに限定されるものではなく、両端が閉鎖された長孔形態に具備されるか、前記内部側壁１２１ｂの内面に陥没形成される案内孔の形態に具備され得る。
【００５０】
前記第２本体１２２は、内部空間の開放された上部を覆って密閉するカバー部材１２２ｂを具備する把持体１２２ａを含み、このような第２本体１２２は、爪やすり、耳掻きのような少なくとも一つの補助美容器具１２３を前記把持体の内部空間に配置して臨時保管し得る。
【００５１】
このような補助美容器具の使用時にこれを簡便に外部に引き出して使用できるように、前記把持体１２２ａの外部面に内部空間と連通されるように開口形成される固定孔１２２ｃを含む。このような固定孔１２２ｃは、前記補助美容器具１２３が出入りされる通路として機能しながら前記補助美容器具の一端と結合された結合体１２３ａが挿入配置されて固定されるようにして、臨時保管される補助美容器具の紛失を防止し得る。
【００５２】
ここで、前記把持体１２２ａの内部空間には、挿入配置される補助美容器具１２３を紛失の恐れのないようにより安全に臨時保管できるように、前記固定孔１２２ｃを通じて進入された補助美容器具１２３の外面と接して固定力を発生させる第１ストッパ１２４ａを具備し得る。
【００５３】
前記第１ストッパ１２４ａは、前記把持体１２２ａの内部面から延長されて形成され、前記把持体１２２ａの開放された外面を覆うように組み立てられるカバー部材１２２ｂの内部面にも前記補助美容器具１２３またはこれに結合される結合体１２３ａの外面と各々接して固定力を発生させる第２ストッパ１２４ｂ、１２４ｃを具備し得る。
【００５４】
また、前記第１本体１２１と第２本体１２２は、隔壁１２５により前記切断部が挿入配置される内部空間と前記補助美容器具が臨時保管される内部空間が互いに独立的に形成されるように分割されることが好ましい。前記第１、２本体１２１、１２２は、樹脂物を素材として成形される構造物からなることが好ましい。
【００５５】
前記飛散防止部１３０は、前記第１本体１２１の内部側壁１２１ｂに形成された案内路１２１ｃに滑走移動可能に対応して組み立てられる案内突起１３１ｂを備えて前記第１本体１２１に滑走移動可能に組み立てられる移動体１３１を含む。
【００５６】
このような移動体１３１は、前記第１本体１２１の第１底板１２１ａと対応する第２底板１３１ａを具備し、前記第２底板の左右両側から垂直に一定高さで延長されて前記内部側壁１２１ｂと向い合って対応する左右一対の外部側壁１３１ｂを含む。
【００５７】
これによって、前記移動体１３１が前記第１本体１２１と重なるように配置される場合、前記切断刃１１４による切断時に内部弾性板の内側に飛散する切断物は外部側壁１３１ｂにぶつかるようになり、前記切断部の外側及び前記第１本体の外側への飛散を根本的に遮断しながら防止し得る。
【００５８】
前記外部側壁１３１ｂの内部面には、前記第１本体の内部側壁１２１ｂに形成された案内路１２１ｃに対応して組み立てられて案内移動可能に組み立てられる少なくとも一つの案内突起１３１ｃを具備する。
【００５９】
そして、前記移動体１３１は、前記支持軸に拘束された外部弾性板１１２に対して切断刃を有する内部弾性板１１１を簡便に分離できるように前記第１本体の案内路１２１ｃに配置されながら前記外部弾性板と内部弾性板との間に介在される少なくとも一つの係止突起１３２を具備する。
【００６０】
このような係止突起１３２は、前記内部弾性板１１１のバンディング部位であるバンディング板１１１ｃと前記外部弾性板１１２のバンディング部位であるバンディング板１１２ｃとの間に配置されることが好ましい。
【００６１】
これによって、前記第１本体１２１と重なるように配置された移動体１３１の前進移動時に、案内路と案内突起または案内路と係止突起との間の結合により前進移動される過程で、前記係止突起に干渉される内部弾性板１１１は、第１本体１２１から外部に露出されるように外部に引き出される。
【００６２】
すなわち、前記支持軸１１７が貫通配置される内部弾性板１１１の内部軸孔１１５は、上下部板１１１ａ、１１１ｂ及びバンディング板１１１ｃに沿って連続される長孔形態に具備される一方、前記支持軸１１７が貫通配置される外部弾性板１１２の外部軸孔１１６は、前記上下部板１１２ａ、１１２ｂに各々貫通形成される円型孔の形態で具備され、前記支持軸１１７の下端は、前記第１本体の底面に貫通形成された係止孔に係止配置されるので、前記支持軸１１７に拘束されて位置固定された外部弾性板１１２に対して前記移動体１３１の係止突起１３２に干渉される内部弾性板１１１のみを移動体とともに第１本体及び外部弾性板から外側に露出されるように前進移動させるか、新しい内部弾性板に入れ替え装着することができるように完全に分離離脱させ得る。
【００６３】
この時、前記内部弾性板１１１の上下部板１１１ａ、１１１ｂは、両側の外側縁に前記移動体とともに前進移動及び後進復帰時に前記第１本体の内部側壁１２１ｂとの接触面積を減らして摩擦抵抗を減少させるように歯部１１１ｆを形成することが好ましい。
【００６４】
そして、前記移動体１３１の第２底部１３１ａには、前記第１本体１２１の第１底部との間に排出通路を形成するように一定深さで陥没形成される排出凹溝１３３を具備することで、前記移動体の前進移動時に内部弾性板の上下部板の間に残留されるように収去された切断物を下部に落下させた後、前記排出凹溝１３３により形成される排出通路を通じて外部に排出し得る。
【００６５】
また、前記第２底板１３１ａには、前記支持軸の下端が配置されるように配置溝１３１ｄを陥没形成することが好ましい。
【００６６】
以上で説明した本発明は、上述の実施例及び添付図面により限定されるものではなく、本発明の技術的思想を脱しない範囲内でさまざまな置換、変形及び変更が可能であることは、本発明が属する技術分野において通常の知識を有する者に明白である。
【図１】
0006465990.tif 000002
【図２】
0006465990.tif 000003
【図３】
0006465990.tif 000004
【図４ａ】
0006465990.tif 000005
【図４ｂ】
0006465990.tif 000006
【図５】
0006465990.tif 000007
【図６ａ】
0006465990.tif 000008
【図６ｂ】
0006465990.tif 000009
【図７ａ】
0006465990.tif 000010
【図７ｂ】
0006465990.tif 000011
【図８】
0006465990.tif 000012